(57)【要約】【課題】雨水から十分に保護することができるとともに、手摺笠木２を構成する金属材による硬い質感と、布材、和紙、樹皮のような繊維材による柔らかい質感とを併せ持ち、さらにパネル３全面にデザインを施すことができ、デザインの自由度が高く、しかも自由に寸法調整をすることができる屋外用建築パネル。【解決手段】屋外に設けられる建築パネルであって、少なくとも一方が透光性を有する２枚の板材６、７の間に液状樹脂８を含浸させた繊維材９を挟んで一体化させるとともに、上記繊維材９と上記板材６、７とを同じ大きさにし、繊維材９の表面を少なくとも一方の板材から見えるようにした。【選択図】図２
2014062405.tif 000002
【特許請求の範囲】
【請求項１】
屋外に設けられる建築パネルであって、少なくとも一方が透光性を有する２枚の板材の間に液状樹脂を含浸させた繊維材を挟んで一体化させるとともに、上記繊維材と上記板材とを同じ大きさにしたことを特徴とする屋外用建築パネル。
【請求項２】
上記パネルは、ベランダ、バルコニー、カーポート又はテラスの屋根板又は側板として用いられることを特徴とする、請求項１に記載の屋外用建築パネル。
【請求項３】
上記板材及び液状樹脂がアクリル樹脂からなることを特徴とする、請求項１又は２に記載の屋外用建築パネル。
【請求項４】
屋外に設けられる建築パネルの製造方法であって、
繊維材を液状樹脂に浸漬させた後、板材に重ね、さらに上記繊維材の上から液状樹脂を流し込み、その後上記繊維材の上から別の板材を重ね合せた後、圧着して上記液状樹脂を硬化させて一体化させ、さらに周縁部を切断して板材と繊維材の端面を揃える
ことを特徴とする屋外用建築パネルの製造方法。
【請求項５】
上記板材及び液状樹脂がアクリル樹脂からなることを特徴とする、請求項４に記載の屋外用建築パネルの製造方法。
【発明の詳細な説明】
【技術分野】
【０００１】
本発明は、建物のベランダ、バルコニー、カーポート又はテラスなどの屋外に設けられる建築パネルで、布材、和紙などの繊維材の繊維模様を表出できる屋外用建築パネルとその製造方法に関する。
【背景技術】
【０００２】
一般に、住宅に設けられたベランダ、バルコニー等に設置される手摺の下部空間や、カーポート又はテラスの屋根材や側板には、ガラス板やアクリル、ポリカーボネイトなどの合成樹脂板が用いられている。これらのパネルは、基本的には風雨をしのいだり、人目にさらされるのを防いだりするものであるが、同様の効果は布材によって得ることもできる。布材の布目から漏れる光や、パネルにはない独特の柔らかく、温かい風合いなどを生かすことができれば、むしろ布材の方が優れている点もあるが、布材は風雨に曝される屋外では、汚れたり、カビが発生したりしやすいという欠点がある。
【０００３】
これに対応するものとして、特許文献１のように、２枚のパネル間に布材を挟むという技術が知られている。これは、２枚のパネル（ガラス板）とその間の布材によるデザイン体とを接着フィルムを介して固定するもので、パネルと接着フィルムは繊維材よりも大きく、布材からはみ出した接着フィルムの周縁部は互いに接着している。このように、パネルと布材とを複合化することにより、布材は接着フィルムの間に保持され、パネルの周縁部は互いに接着されているので、雨水が浸水するのを有効に防止することができる。
【先行技術文献】
【特許文献】
【０００４】
【特許文献１】特開２００７−１０１９７７号公報
【発明の概要】
【発明が解決しようとする課題】
【０００５】
しかしながら、上記技術は、布材が接着フィルムの周縁部の内側に納まる構造であり、この周縁部をデザイン的に利用することはできず、デザインの自由度が制限されるという問題がある。また、防水用の周縁部は必ず設けなければならないので、周縁部を切り落とすことはできない。したがって、特に、現場の状況に応じて寸法を調整する必要がある屋外用のパネルとして採用するのは困難である。
【０００６】
本発明は上記問題点を解消し、風雨から十分に保護することができるとともに、パネル全面にデザインを施すことができ、デザインの自由度が高く、しかも自由に寸法調整をすることができる屋外用建築パネルとその製造方法を提供することをその課題とする。
【課題を解決するための手段】
【０００７】
上記課題を解決するため、請求項１に係る発明は、屋外に設けられる建築パネルであって、少なくとも一方が透光性を有する２枚の板材の間に液状樹脂を含浸させた繊維材を挟んで一体化させるとともに、上記繊維材と上記板材とを同じ大きさにしたことを特徴とする。
【０００８】
請求項２に係る発明は、請求項１において、上記パネルは、ベランダ、バルコニー、カーポート又はテラスの屋根板又は側板として用いられることを特徴とする。
【０００９】
請求項３に係る発明は、請求項１又は２において、上記板材及び液状樹脂がアクリル樹脂からなることを特徴とする。
【００１０】
請求項４に係る発明は、屋外に設けられる建築パネルの製造方法であって、繊維材を液状樹脂に浸漬させた後、板材に重ね、さらに上記繊維材の上から液状樹脂を流し込み、その後上記繊維材の上から別の板材を重ね合せた後、圧着して上記液状樹脂を硬化させて一体化させ、さらに周縁部を切断して板材と繊維材の端面を揃えることを特徴とする。
【００１１】
請求項５に係る発明は、請求項４において、上記板材及び液状樹脂がアクリル樹脂からなることを特徴とする。
【発明の効果】
【００１２】
請求項１に係る発明によれば、パネルは透光性を有する２枚の板材の内側に液状樹脂を含浸させた繊維材を閉じ込めて一体化した構造であるから、繊維材が汚れたり、カビが発生したりすることがない。また、外部から繊維材を透視することができる。繊維材の柔らかく温かい風合いや繊維材の模様によって、従来の屋外用建築パネルにはない意匠的効果を得ることができるとともに、繊維間の隙間の粗密度合いを調整することで太陽光の透過度合いを調整することができる。
【００１３】
また、繊維材と板材とを同じ大きさにしたので、パネル全面にデザインを施すことができ、新鮮で自由度の高いデザインを市場に提供することができる。
【００１４】
さらに、パネルを構成する２枚の板材の間の空間は、布材と硬化した液状樹脂とによって満たされているので、どの部分を切断しても切断面から雨水が浸入することはできない。したがって、パネルの寸法を自由に調整することができる。
【００１５】
請求項２に係る発明によれば、上記パネルは、ベランダ、バルコニー、カーポート又はテラスの屋根板又は側板として用いられる構成で、このように屋外で用いられるときに最もその効果をよく発揮することができる。
【００１６】
請求項３に係る発明によれば、上記板材及び液状樹脂がアクリル樹脂からなり、板材と液状樹脂とのなじみがよく、透明度が高いので、繊維材をよくアピールすることができるほか、加工性がよく、必要に応じて容易かつ迅速に切断加工して寸法を自由に調整することができる。
【００１７】
請求項４に係る発明によれば、繊維材を液状樹脂に浸漬させた後、板材に重ね、さらに上記繊維材の上から液状合成樹脂を流し込み、その後上記繊維材の上から別の板材を重ね合わせた後、圧着して上記液状合成樹脂を硬化させて一体化させ、さらに周縁部を切断して板材と繊維材の端面を揃えるので、２枚の板材の一体化は、接着フィルムによるものではなく、液状化した合成樹脂によるものであるから、板材と繊維材との間には隙間ができることがなく、雨水の浸入を確実に防止することができるとともに、所定の大きさに切断することにより、繊維材と板材とが同じ大きさのパネルを得ることができる。
【００１８】
請求項５に係る発明によれば、上記板材及び液状樹脂がアクリル樹脂からなり、板材と液状樹脂とのなじみがよいので、板材と繊維材との密着性がよく、一体性を確実に担保することができる。
【図面の簡単な説明】
【００１９】
【図１】ベランダ手摺の斜視図
【図２】上記ベランダ手摺に使用されたパネルの断面図
【図３】（ａ）〜（ｃ）は上記パネルの製造方法を示す説明図
【図４】上記パネルを使用したカーポートの斜視図
【図５】上記パネルを使用したテラスの斜視図
【発明を実施するための形態】
【００２０】
図１はベランダ手摺の斜視図、図２は上記手摺に使用されたパネルの断面図を示すもので、手摺は、ベランダの設置面の先端周縁部Ａに沿って立設された複数の支柱１と、支柱１の上端に設けられた手摺笠木２と、上記支柱１の一側（ベランダ外側）に配置されたパネル３とから構成されている。
【００２１】
正面のパネル３は布材を挟持したものであり、側面のパネル３ａは通常の合成樹脂製パネルである。
【００２２】
パネル３は、図２に示されるように、２枚のアクリル板６、７の間に液状のアクリル樹脂８を含浸させた布材９を挟んで一体化させたものである。布材９とアクリル板６、７の形状と大きさは同じで、布材９の端面はアクリル板６、７の端面に露出している。アクリル板６、７は透光性を有するものが好ましい。
【００２３】
布材９は目が粗く、少し離れた位置からでも繊維であることが視認できるようなものが好ましい。不織布であってもよい。模様は織りによるもの、絞りによるもの、プリントによるものなど、どのようなものであってもよい。
【００２４】
上述のように、パネル３は透明な２枚のアクリル板６、７の内側に液状アクリル樹脂８を含浸させた布材９を閉じ込めて一体化した構造であるから、布材９が汚れたり、カビが発生したりすることがない。また、外部から布材９を透視することができる。布材９の柔らかく温かい風合いや布材９の模様によって、従来の屋外用建築パネルにはない意匠的効果を得ることができるとともに、布目の粗密度合いを調整することで太陽光の透過度合いを調整することができる。特に、布材がレース地であると、布材自体の模様がくっきりと見え、意匠的効果が大きいほか、太陽光の漏れが大きいので、裏側のスペースが暗くなりすぎるのを防止することができる。
【００２５】
また、布材９とアクリル板６、７とを同じ大きさにしたので、パネル全面にデザインを施すことができ、新鮮で自由度の高いデザインを市場に提供することができる。
【００２６】
さらに、パネル３を構成する２枚のアクリル板６、７の間の空間は、布材９と硬化した液状アクリル樹脂８とによって満たされているので、どの部分を切断しても切断面から雨水が浸入することはできない。したがって、パネル３の寸法を自由に調整することができる。
【００２７】
上記パネル３は、アクリル板６、７と液状アクリル樹脂８とから成り、相互のなじみがよく、アクリルは透明度が高いので、布材９をよくアピールすることができる。しかも、加工性がよいので、現場での施工性に優れ、現場の状況に合わせ、必要に応じて容易かつ迅速に切断加工して寸法を自由に調整することができる。
【００２８】
次に、上記パネル３は次の方法によって製造すればよい。
【００２９】
まず、図３（ａ）左図のように容器１０に液状アクリル樹脂８を充填する。そして、同図右図のように布材９を液状アクリル樹脂８に浸漬させ、液状アクリル樹脂８を十分に布材９の繊維に浸み込ませる。その後、図３（ｂ）に示されるように、液状アクリル樹脂８が浸み込んだ布材９を透明なアクリル板６上に重合載置する。アクリル板６は水平にしておく。さらに上記布材９の上から液状アクリル樹脂８を流し込む。これにより、液状アクリル樹脂８は布材９の上面だけでなく、布目を通って布材９の下面にも流れ込む。その後、同図（ｃ）に示されるように、布材９の上から別のアクリル板７を載置し、アクリル板６、７同士を圧着して液状アクリル樹脂８を硬化させて一体化させる。これにより、アクリル板６、７の間の空間は布材９と硬化した液状アクリル樹脂８とによって完全に埋められる。最後に、パネル３の周縁部を切断してアクリル板６、７と布材９の端面を揃え、所定の大きさに整えれば、完成品となる。
【００３０】
なお、アクリル板６を水平状態にし、その上に布材９とアクリル板７を載置する形態に限定されない。垂直にして布材９をアクリル板６、７の間に挟むようにして製造してもよい。
【００３１】
上記パネル３の製造方法によれば、２枚のアクリル板６、７の一体化は、従来のような接着フィルムによるものではなく、液状化したアクリル樹脂であるから、アクリル板６、７と布材９との間には隙間ができることがなく、雨水の浸入を確実に防止するパネル３を得ることができる。
【００３２】
アクリル板６、７と液状化したアクリル樹脂８とはなじみがよいので、アクリル板６、７と布材９との密着性がよく、一体性を確実に担保することができる。
【００３３】
そして、２枚のアクリル板６、７の一体化は、接着フィルムによるものではなく、液状化したアクリル樹脂８によるものであるから、アクリル板６、７と布材９との間には隙間ができることがなく、雨水の浸入を確実に防止することができるとともに、周縁部を切断することにより、アクリル板６、７と布材９とが同じ大きさのパネル３を得ることができる。
【００３４】
なお、ベランダの外側に面する外側のアクリル板は透光性を有するものであるのが好ましいが、ベランダの内側に面する内側のアクリル板は必ずしも透光性を有する必要はない。例えば、布材を白、緑、青等の明色系の色に着色し、内側のアクリル板として紺、黒などの暗色系に着色したものを使用した場合、そのコントラスト効果により、外側に布材の模様が際立って明瞭となる。
【００３５】
また、パネル３をどのように取り付けるかについても、上述のようにその端面の一部または全部を外部に露出させる構成であってもよいが、これに限定されない。例えば、パネル３の四周を金属製の枠材で枠取りする構成であってもよい。
【００３６】
さらに、上述の実施形態は、アクリル板６、７と液状のアクリル樹脂８によって布材９を一体結合したものであるが、板材と繊維材に含浸させる液状樹脂はアクリル樹脂に限定されない。たとえば、ポリエステルなどであってもよい。
【００３７】
繊維材の材料としては、天然又は合成の布材に限定されない。和紙等の繊維を有する材料であってもよい。
【００３８】
ところで、パネル３はベランダやバルコニーの手摺に設けられたものに限定されない。例えば、カーポートやテラスにも使用することもできる。すなわち、図４はカーポートで、このカーポートは、支柱１１の上端に片持ち梁１２を固定し、片持ち梁１２の上に屋根１３を設けたもので、屋根１３は、前枠１４と後枠１５と側枠１６とから構成される枠体の内側に垂木１７と母屋１８とを配し、垂木１７と母屋１８によって屋根材１９を支持してなるもので、この屋根材１９に上述の構造のパネル３が使用されている。なお、同図において屋根材１９は単に薄墨色で表わされ、布材の模様は省略されている。
【００３９】
また、図５はテラスで、支柱２０の上部に屋根部２１を、支柱２０の側部には側板部２２を配置したもので、屋根部２１は、前枠２３と後枠２４と端部垂木２７ａとからなる枠体の内側に、屋根材２６を垂木２７と母屋材２８とによって支持したもので、後枠２４は図示しない建物の外壁に固定されている。また、側板部２２は、上下桟２８、２９と端部方立３０との間に、方立３１を介して側板３２を支持したものである。屋根材２６及び側板３２に上述の構造のパネル３が使用されている。なお、同図において屋根材２６及び側板３２は単に薄墨色で表わされ、布材の模様は省略されている。
【００４０】
カーポートに側板を設ける場合、この側板に上述のパネル３を使用することができるのはもちろんである。
【００４１】
このように、パネル３は屋外で用いられるときに最もよくその効果を発揮することができる。
【符号の説明】
【００４２】
１    支柱
２    手摺笠木
３    パネル
６、７  アクリル板
８    液状アクリル樹脂
９    布材
【図１】
2014062405.tif 000003
【図２】
2014062405.tif 000004
【図３】
2014062405.tif 000005
【図４】
2014062405.tif 000006
【図５】
2014062405.tif 000007